(57)【特許請求の範囲】
【請求項１】
建物面に隣り合うように設置される家具と建物面との間の隙間閉塞装置であって、家具の建物面に対面する外側板に当該家具の内外にわたって貫通するように設けられた複数の貫通孔、この各貫通孔内に内嵌固定されたナット、この各ナットに螺合する螺軸部を備えた複数の調整支持具、及びこの複数の調整支持具に長さ方向の複数か所が支持されて家具の前記外側板と建物面との間の隙間を埋める隙間閉塞部材を備えた家具と建物面との間の隙間閉塞装置において、
前記調整支持具は、前記螺軸部の内端側に設けられた回転操作部と、当該螺軸部の外端側に同心状に設けられた支持用鍔部を備え、
前記隙間閉塞部材は、家具の前記外側板側に位置する内側部材と、この内側部材の外側に付設されて建物面に当接する外側部材とから構成され、
前記内側部材には、当該内側部材の長さ方向に連続する凹溝部と、この凹溝部の前後 両側に位置して当該内側部材の長さ方向に連続し且つ家具の前記外側板側に突出する前 後一対の張出し板部が設けられ、
前記凹溝部は、前記調整支持具の支持用鍔部の直径方向両側辺が相対回転自在に且 つ当該内側部材の長さ方向に摺動自在に嵌合する前後一対の張出し溝部を備え、
前記張出し板部の内、外側の張出し板部は、前記外側部材の正面側の垂直端面と面 一に家具の前記外側板側に突出して、当該家具の外側板の垂直端面に摺接自在に重な り、内側の張出し板部は、家具の前記外側板に設けられた溝に出退自在に嵌合してい る、
家具と建物面との間の隙間閉塞装置。
【発明の詳細な説明】
【技術分野】
【０００１】
本発明は、既設建物内に収納家具を設置する場合に当該家具と建物面との間に生じる隙間を閉塞するための隙間閉塞装置に関するものである。
【背景技術】
【０００２】
既設建物内に家具を設置する場合、当該家具の左右両外側板や天井板が建物の左右両側壁面や天井面にぴったりと隙間なく隣接するように家具を製造しておくことは容易ではなく、仮にそのように製造することが出来たとしても、その家具を建物内の所定位置に搬入設置することは現実的に難しい。このような問題点を解決するために、特許文献１に記載されるように、家具の左右両外側板の外側に、当該家具の前記外側板と建物面との間の隙間を埋める隙間閉塞部材を出退自在に取り付けて成る隙間閉塞装置が考えられた。
【先行技術文献】
【特許文献】
【０００３】
【特許文献１】特開２００４−２９０２６４号公報
【発明の概要】
【発明が解決しようとする課題】
【０００４】
上記特許文献１に記載された従来の隙間閉塞装置は、隙間閉塞部材を出退自在に支持する専用の支持部材と、この隙間閉塞部材を出退操作するためのネジ軸を家具の外側板に自転のみ可能に支持する構造複雑なネジ軸支持部材を必要とするものであって、部品点数が多く、大幅なコストアップを免れなかった。
【課題を解決するための手段】
【０００５】
本発明は、上記のような従来の問題点を解消することのできる家具と建物面との間の隙間閉塞装置を提案するものであって、請求項１に記載の本発明に係る家具と建物面との間の隙間閉塞装置は、後述する実施例との関係を理解し易くするために、当該実施例の説明において使用した参照符号を括弧付きで付して示すと、建物面(12a)に隣り合うように設置される家具(1)と建物面(12a)との間の隙間閉塞装置(16a)であって、家具(1)の建物面(12a)に対面する外側板(2a)に当該家具(1)の内外にわたって貫通するように設けられた複数の貫通孔(22)、この各貫通孔(22)内に内嵌固定されたナット(23)、この各ナット(23)に螺合する螺軸部(24)を備えた複数の調整支持具(18)、及びこの複数の調整支持具(18)に長さ方向の複数か所が支持されて家具(1)の前記外側板(2a)と建物面(12a)との間の隙間を埋める隙間閉塞部材(19)を備えた家具と建物面との間の隙間閉塞装置において、
前記調整支持具(18)は、前記螺軸部(24)の内端側に設けられた回転操作部(26)と、当該螺軸部(24)の外端側に同心状に設けられた支持用鍔部(25)を備え、
前記隙間閉塞部材(19)は、家具(1)の前記外側板(2a)側に位置する内側部材(27)と、この内側部材(27)の外側に付設されて建物面(12a)に当接する外側部材(28)とから構成され、
前記内側部材(27)には、当該内側部材(27)の長さ方向に連続する凹溝部(29)と、こ
の凹溝部(29)の前後両側に位置して当該内側部材(27)の長さ方向に連続し且つ家具(1)
の前記外側板(2a)側に突出する前後一対の張出し板部(30a,30b)が設けられ、
前記凹溝部(29)は、前記調整支持具(18)の支持用鍔部(25)の直径方向両側辺が相
対回転自在に且つ当該内側部材(27)の長さ方向に摺動自在に嵌合する前後一対の張
出し溝部(29a,29b)を備え、
前記張出し板部(30a,30b)の内、外側の張出し板部(30a)は、前記外側部材(28)の
正面側の垂直端面と面一に家具(1)の前記外側板(2a)側に突出して、当該家具(1)の
外側板(2a)の垂直端面(2c)に摺接自在に重なり、内側の張出し板部(30b)は、家具(1
)の前記外側板(2a)に設けられた溝(31b)に出退自在に嵌合した構成になっている。
【発明の効果】
【０００６】
本発明の家具と建物面との間の隙間閉塞装置によれば、家具の外側板には、内外にわたって貫通する貫通孔を複数穿設すると共に、各貫通孔にナットを内嵌固定するだけで良く、従来のように、隙間閉塞部材を出退移動自在に支持する支持部材や、隙間閉塞部材を出退操作するためのネジ軸を家具の外側板に自転のみ可能に支持するネジ軸支持部材を必要としないので、部品点数が少なく、装置全体を安価に実施することが出来る。又、家具設置時に隙間閉塞部材を必要としないことが判明した場合でも、前記ナットに螺合する調整支持具を家具の外側板から外側へ螺進させ、当該調整支持具で支持された隙間閉塞部材と共に家具から取り外せば、家具の外側板には、ナットが内嵌固定された複数の貫通孔が残るだけであって、従来の隙間閉塞装置を備えない一般的な家具と同じように取り扱って、家具の外側板を建物面に隣接させて設置することが出来るという格別の効果も有する。
【０００７】
更に本発明の構成によれば、前記隙間閉塞部材は、前記凹溝部と張出し板部を備えた内側部材と、この内側部材の外側に付設されて建物面に当接する外側部材とから構成されているので、前記凹溝部と張出し板部を成形する内側部材は硬質合成樹脂製又は金属製として必要な強度を持たせ、建物面に当接する外側部材は、建物面に密着させ易い軟質合成樹脂製とすることが出来る。又、隙間閉塞部材が家具の前記外側板から遠ざかる方向に移動せしめられたとき、当該隙間閉塞部材と家具の前記外側板との間に奥側に凹んだ凹溝部が形成されるのを外側の張出し板部によって防止することが出来る。
【０００８】
又、前記隙間閉塞部材の凹溝部は、前記調整支持具の支持用鍔部が前記凹溝部の長さ方向に対して直角向き、即ち、調整支持具の螺軸部の軸心方向に出し入れ出来る、内側開放の断面形状であっても良いが、本発明によれば、前記凹溝部は、調整支持具の支持用鍔部の直径方向両側辺を当該凹溝部の長さ方向に摺動自在に把持する断面形状に構成しているので、家具の外側板に取り付ける前の隙間閉塞部材の凹溝部に、その端部から差し込む要領で複数の調整支持具を組付けて一体化することが出来、家具の設置作業が容易に行える。
【００１１】
尚、本発明の隙間閉塞装置は、家具の左右両側に配設したり、家具の天井側に配設することが出来る。勿論、家具の底部を除く左右両側と天井側の全てに本発明の隙間閉塞装置を配設することも出来る。
【図面の簡単な説明】
【００１２】
【図１】図１は、家具と隙間閉塞装置の関係を説明する正面図である。
【図２】図２は、同縦断側面図である。
【図３】図３は、同横断平面図である。
【図４】図４は、側部の隙間閉塞装置の基本構造を示す横断平面図である。
【図５】図５は、同上基本構造を示す縦断正面図である。
【図６】図６Ａは、図５の縦断右側面図、図６Ｂは、図５の縦断左側面図である。
【図７】図７は、天井部の隙間閉塞装置の一例を示す縦断側面図である。
【図８】図８は、同上一例を示す縦断正面図である。
【図９】図９Ａは、図７の横断底面図、図９Ｂは、図７の横断平面図である。
【図１０】図１０は、側部の隙間閉塞装置の基本構造を示す横断平面図である。
【図１１】図１１は、本発明の一実施例に係る側部の隙間閉塞装置を示す横断平面図である。
【発明を実施するための形態】
【００１３】
最初に、本発明に係る隙間閉塞装置を利用出来る基本構造を、図１〜図１０に基づいて説明すると、図１において、１は箱形の収納家具であって、左右両外側板２ａ，２ｂと天井板３及び裏板４によって構成された箱形本体５内に、底板６、この底板６と天井板３との間に配設された２つの垂直仕切り板７ａ，７ｂ、及び各垂直仕切り板７ａ，７ｂと左右両外側板２ａ，２ｂとの間と垂直仕切り板７ａ，７ｂ間に水平に架設された上下複数段の棚板８によって、立体的に収納区画が形成されたもので、下端領域の収納区画を開閉する扉９ａ〜９ｄが併設されている。１０は底板６を支持するように左右両外側板２ａ，２ｂ間に配設された前後一対の底板支持板である。この収納家具１の箱形本体５内の構成は一例であって、その構造は限定されるものではない。
【００１４】
上記構成の収納家具１は、図２及び図３に示すように、既設建物内に確保された設置空間、即ち、床面１１、左右両側壁面１２ａ，１２ｂ、及び天井面１３で周囲が囲まれ、奥側が垂直壁面１４で閉じられ、正面側が開放された設置空間１５内に、収納家具１の裏板４が垂直壁面１４に隣接するように据え付けられる。このとき、収納家具１の左右両外側板２ａ，２ｂの外側と天井板３の外側とに本発明による隙間閉塞装置１６ａ，１６ｂ，１７が前以て取り付けられている。
【００１５】
左右両側の隙間閉塞装置１６ａ，１６ｂは、左右両外側板２ａ，２ｂの高さの全域に及ぶ長さのもので、その上下両端近傍位置と中間高さの３か所が夫々調整支持具１８によって収納家具１の左右両外側板２ａ，２ｂに取り付けられる垂直隙間閉塞部材１９を備えている。天井側の隙間閉塞装置１７は、建物側の設置空間１５を形成する左右両側壁面１２ａ，１２ｂ間に丁度はまり込む水平長さのものであって、その左右両端近傍位置と中間位置の３か所が夫々調整支持具２０によって収納家具１の天井板３に取り付けられる水平隙間閉塞部材２１を備えている。
【００１６】
左右両側の隙間閉塞装置１６ａ，１６ｂは、左右対称構造のものであるから、図４〜図６に示す片側の隙間閉塞装置１６ａについて詳細構造を説明すると、収納家具１の外側板２ａには、調整支持具１８が配置される上下３か所において、当該外側板２ａを内外にわたって水平に貫通する貫通孔２２が穿設され、これら各貫通孔２２には、外側からインサートナット２３が圧入固定されている。このインサートナット２３は従来周知のもので、外周面には環状で断面鋸歯状の抜け止め用突条が軸方向複数段に一体形成され、同心状に貫通する雌ネジ孔を備えたもので、このインサートナット２３の最少外径より若干大径の前記貫通孔２２に対して外側板２ａの外側から、当該インサートナット２３の外端面が外側板２ａの外側面と面一になる深さまで叩き込むことにより、抜け止め用突条が貫通孔２２の内周面に食い込んで抜け止め状態に固定される。勿論、このようなインサートナット２３を使用しないで、雌ネジ孔を有する各種ナットを適当な手段により貫通孔２２に内嵌固定しても良い。
【００１７】
各調整支持具１８は、前記インサートナット２３を外側板２ａの外側から螺合貫通する螺軸部２４と、この螺軸部２４の外端に同心状に一体形成された支持用鍔部２５と、螺軸部２４の内端に設けられた回転操作部２６から構成されている。回転操作部２６としては、螺軸部２４の内端に同心状に刻設された図示のプラスドライバー差し込み用の凹部や、螺軸部２４の内端から同心状に突設させたボックススパナ嵌合用の角軸部などが採用できる。
【００１８】
上下３か所の調整支持具１８によって支持される垂直隙間閉塞部材１９は、硬質合成樹脂製の内側部材２７と、この内側部材２６の外側に接着剤などにより固着された軟質合成樹脂製の外側部材２８とから構成されている。内側部材２６には、前記調整支持具１８の支持用鍔部２５が相対回転自在に嵌合する凹溝部２９が全長にわたって連続するように形成されると共に、当該凹溝部２９の両側から内向きに突出する前後一対の張出し板部３０ａ，３０ｂが一体形成されている。尚、凹溝部２９は、前記調整支持具１８の支持用鍔部２５の直径方向両側辺を把持する前後一対の張出し溝部２９ａ，２９ｂを備えた断面形状のものである。従って調整支持具１８は、垂直隙間閉塞部材１９の長さ方向の両端に解放されている前記凹溝部２９の長さ方向の一端に支持用鍔部２５を嵌合させ、当該凹溝部２９内で支持用鍔部２５を垂直隙間閉塞部材１９の長さ方向に相対的にスライドさせることにより、垂直隙間閉塞部材１９の長さ方向の所定位置に配置させることが出来るものである。一方、収納家具１の外側板２ａには、その外側面で上下３か所の貫通孔２２を挟むように、前記垂直隙間閉塞部材１９側の前後一対の張出し板部３０ａ，３０ｂが出退自在に遊嵌する前後一対の溝３１ａ，３１ｂが、当該外側板２ａの全高にわたって刻設されている。
【００１９】
前記各貫通孔２２及び前後一対の溝３１ａ，３１ｂは、外側板２ａ，２ｂの前側辺、即ち、収納家具１の正面側の前側辺に出来る限り近い位置に設けられている。而して上記構成の隙間閉塞装置１６ａ，１６ｂは、建物側の設置空間１５内に設置する前の収納家具１の左右両外側板２ａ，２ｂの外側の前側辺に近い位置に、前記各貫通孔２２及び前後一対の溝３１ａ，３１ｂを利用して垂直に取り付けられる。即ち、予め３つの調整支持具１８を、夫々の螺軸部２４を各貫通孔２２の外側からインサートナット２３に螺合貫通させる。このとき、調整支持具１８の支持用鍔部２５の内側に小径段部２５ａを同心状に形成しておき、この小径段部２５ａが外側板２ａ，２ｂの外側面に当接する一定深さまで螺軸部２４をねじ込んだとき、支持用鍔部２５の周辺部と外側板２ａ，２ｂとの間に、垂直隙間閉塞部材１９を上から差し込んで取り付けるのに必要な間隙が確保されるように構成しておくのが望ましい。次に外側板２ａ，２ｂから突出している各調整支持具１８の支持用鍔部２５に対して、垂直隙間閉塞部材１９（内側部材２７）の凹溝部２９を、その長さ方向の下端から順次嵌合させるように、垂直隙間閉塞部材１９を外側板２ａ，２ｂに沿って下向きに移動させることにより、垂直隙間閉塞部材１９を収納家具１の左右両外側板２ａ，２ｂの外側に取り付ける。このとき、各調整支持具１８の螺軸部２４は、その全体が貫通孔２２内に埋没した状態であるから、垂直隙間閉塞部材１９の外側面、即ち、外側部材２８の外側面２８ａは、外側板２ａ，２ｂに最接近している状態である。
【００２０】
天井側の隙間閉塞装置１７が取り付けられる収納家具１の天井板３には、図７〜図９に示すように、その左右両端近傍位置と中央位置の３か所で、当該天井板３の前側辺（収納家具１の正面側の側辺）に近い位置に上下方向に貫通する貫通孔３２が設けられ、この各貫通孔３２に、左右両側の隙間閉塞装置１６ａ，１６ｂの取付け構造におけるインサートナット２３と同一のインサートナット３３が、天井板３の上面側から圧入固定されている。この各貫通孔３２内のインサートナット３３に夫々調整支持具２０が取り付けられるが、この調整支持具２０と左右両側の隙間閉塞装置１６ａ，１６ｂの取付けに採用された調整支持具１８とは同一構造のものであるから、同一符号を付して構造説明は省略する。而して、この天井側の隙間閉塞装置１７の取付け構造においては、各貫通孔３２の上端開口部に、調整支持具２０の小径段部２５ａが嵌まり込む座ぐり凹部３２ａが形成されている。
【００２１】
天井側の隙間閉塞装置１７に使用されている水平隙間閉塞部材２１は、硬質合成樹脂製の内側部材３４とその上側に接着剤などで固着された軟質合成樹脂製の外側部材３５から構成され、内側部材３４は、垂直前側板３６と、当該垂直前側板３６の中間高さの裏側に各調整支持具２０の支持用鍔部２５が相対回転自在に嵌合するように形成された下側開放の凹溝部３７と、この凹溝部３７の後側辺から上向きに垂直に延出する上向き垂直板部３８を備えたもので、外側部材３５は、内側部材３４の前側板３６の上半部と上向き垂直板部３８との間の上側開放の凹溝部内に嵌合して、接着剤などにより固着されている。この外側部材３５は、上向き垂直板部３８より上側の背面側が斜めに切除された段面片刃形状のものであって、その上向きの尖端部３５ａが弾性変形し易いように構成されている。
【００２２】
上記構成の隙間閉塞装置１７は、建物側の設置空間１５内に設置する前で且つ左右両側の隙間閉塞装置１６ａ，１６ｂが上記のように取り付けられた状態の収納家具１の天井板３の上側に取り付けられる。即ち、予め３つの調整支持具２０を、夫々の螺軸部２４を各貫通孔３２の上側からインサートナット３３に下向きに螺合貫通させる。このとき、調整支持具２０の小径段部２５ａが天井板３側の座ぐり凹部３２ａ内に嵌合して、上端の支持用鍔部２５が天井板３の上面に当接する状態まで調整支持具２０を螺進させる。次に天井板３から突出している各調整支持具２０の支持用鍔部２５に対して、水平隙間閉塞部材２１（内側部材３４）の凹溝部３７を上から被せて、当該各調整支持具２０の支持用鍔部２５を凹溝部３７内に嵌合させて、水平隙間閉塞部材２１を水平に支持させる。このとき、水平隙間閉塞部材２１（内側部材３４）の垂直前側板３６の下半部が天井板３の収納家具正面側の垂直端面３ａに摺接するように構成されている。このとき、各調整支持具２０の支持用鍔部２５が天井板３の上面に当接する状態であるから、水平隙間閉塞部材２１上端（外側部材３５の尖端部３５ａ）は、天井板３に最接近している状態である。
【００２３】
以上のようにして収納家具１の左右両側と天井側に夫々隙間閉塞装置１６ａ，１６ｂ，１７を取り付けたならば、この収納家具１を建物側の設置空間１５内の所定位置に搬入設置する。このとき、左右両側の隙間閉塞装置１６ａ，１６ｂにおける外側部材２８の外側面２８ａと左右両側壁面１２ａ，１２ｂとの間と、天井側の隙間閉塞装置１７における外側部材３５の尖端部３５ａと天井面１３との間には、夫々所定の間隙が形成されている。換言すれば、このような状態に収納家具１を搬入設置できるように、収納家具１のサイズと建物側の設置空間１５のサイズとが構成されるわけであるが、建物側の設置空間１５は、建物自体の壁面や天井面で所定サイズに構成出来ないとき、これら建物自体の壁面や天井面などに別部材を付設して所定のサイズに仕上げることも出来る。
【００２４】
以上のように収納家具１を建物側の設置空間１５内の所定位置に搬入設置したならば、左右両側の隙間閉塞装置１６ａ，１６ｂの垂直隙間閉塞部材１９を支持している上下３つの調整支持具１８を螺進操作する。即ち、図４に示すように、収納家具１の内側から各貫通孔２２にプラスドライバー３９を挿入し、調整支持具１８の螺軸部２４の内端に形成されている回転操作部２６に差し込むことにより、当該プラスドライバー３９で螺軸部２４を螺進方向に回転操作する。このようにして各調整支持具１８を順次少しずつ螺進させ、垂直隙間閉塞部材１９をほぼ平行に左右両側壁面１２ａ，１２ｂ側へ横動させ、図４に示すように、当該垂直隙間閉塞部材１９における外側部材２８の外側面２８ａを左右両側壁面１２ａ，１２ｂに圧接させる。この垂直隙間閉塞部材１９の横動に伴って、当該垂直隙間閉塞部材１９の内側部材２７における張出し板部３０ａ，３０ｂは、収納家具１の外側板２ａ，２ｂの溝３１ａ，３１ｂ内を脱出方向に移動するが、溝３１ａ，３１ｂ内から張出し板部３０ａ，３０ｂが抜け出る以前に外側部材２８の外側面２８ａが左右両側壁面１２ａ，１２ｂに圧接するように構成されている。尚、収納家具１の左右両外側板２ａ，２ｂに設けられている貫通孔２２には、必要に応じてキャップ４０を内側から圧入固定しておくのが望ましい。
【００２５】
次に天井側の隙間閉塞装置１７の水平隙間閉塞部材２１を支持している左右３つの調整支持具２０を、調整支持具１８について説明した要領で螺進操作し、水平隙間閉塞部材２１をほぼ平行に天井面１３側へ押し上げ、図７に示すように、当該水平隙間閉塞部材２１における外側部材３５の尖端部３５ａを天井面１３に圧接させる。この水平隙間閉塞部材２１の上動に伴って、当該水平隙間閉塞部材２１の内側部材３４における垂直前側板３６の下半部（即ち、天井板３の正面側の垂直端面３ａと重なる張出し板部３６ａ）は、収納家具１における天井板３の垂直端面３ａに沿って上動するが、天井板３の垂直端面３ａから上方に離れる以前に外側部材３５の尖端部３５ａが天井面１３に圧接するように構成されている。尚、図示していないが、収納家具１の天井板３に設けられている貫通孔３２には、必要に応じてキャップを内側から圧入固定しておくことが出来る。
【００２６】
以上の操作の結果、図１〜図３に示すように、収納家具１と建物側の左右両側壁面１２ａ，１２ｂとの間の隙間は左右両側の隙間閉塞装置１６ａ，１６ｂによって塞がれ、収納家具１と建物側の天井面１３との間の隙間は天井側の隙間閉塞装置１７によって塞がれた状態になる。
【００２７】
尚、図４では、左右両側の隙間閉塞装置１６ａ，１６ｂの垂直隙間閉塞部材１９が、収納家具１の外側板２ａ，２ｂの正面側の垂直端面２ｃから奥側へ入り込んでいるが、当該垂直隙間閉塞部材１９の奥行き方向の巾を広くして、垂直隙間閉塞部材１９が外側板２ａ，２ｂの正面側の垂直端面２ｃとほぼ面一に並ぶように構成することが出来る。又、垂直隙間閉塞部材１９の全体の奥行き方向の巾を広くしないで、図１０に示すように、外側部材２８のみを内側部材２７側に被せるように横断面Ｌ字形に形成することも出来る。図１１は、本発明に係る隙間閉塞装置の実施例であって、この図１１に示すように、水平隙間閉塞部材２１の内側部材２７に形成される前後一対の張出し板部３０ａ，３０ｂ間の間隔を広げ、外側の張出し板部３０ａを外側板２ａ，２ｂの正面側の垂直端面２ｃに重ねるように構成すれば、収納家具１と左右両側壁面１２ａ，１２ｂとの間に奥側に凹んだ凹溝部を形成させないで済む。この場合、図示のように外側の張出し板部３０ａは、垂直隙間閉塞部材１９の外側部材２８の正面側の垂直端面と面一に配設される。
【００２８】
尚、調整支持具１８，２０に設けた小径段部２５ａは、無くとも良い。この場合は、天井側の隙間閉塞装置１７の取付けのために天井板３に設けた座ぐり凹部３２ａは不要である。又、収納家具１の左右両側に使用した隙間閉塞装置１６ａ，１６ｂと同一のものを収納家具１の天井側に使用することも出来る。
【産業上の利用可能性】
【００２９】
本発明の家具と建物面との間の隙間閉塞装置は、建物内に確保された設置空間内に収納家具などを設置する際に、当該家具の周囲と建物側の壁面や天井面との間の隙間を閉塞する装置として活用出来る。
【符号の説明】
【００３０】
１    収納家具
２ａ，２ｂ    左右両外側板
３    天井板
１２ａ，１２ｂ    左右両側壁面
１３    天井面
１５    設置空間
１６ａ，１６ｂ    左右両側の隙間閉塞装置
１７    天井側の隙間閉塞装置
１８，２０    調整支持具
１９    垂直隙間閉塞部材
２１    水平隙間閉塞部材
２２，３２    貫通孔
２３，３３    インサートナット
２４    螺軸部
２５    支持用鍔部
２６    回転操作部
２７，３４    内側部材
２８，３５    外側部材
２９，３７    凹溝部
２９ａ，２９ｂ    張出し溝部
３０ａ，３０ｂ，３６ａ    張出し板部
３１ａ，３１ｂ    溝
３６    垂直前側板
３８    上向き垂直板部
４０    キャップ
【図１】
0005514712.tif 000002
【図２】
0005514712.tif 000003
【図３】
0005514712.tif 000004
【図４】
0005514712.tif 000005
【図５】
0005514712.tif 000006
【図６】
0005514712.tif 000007
【図７】
0005514712.tif 000008
【図８】
0005514712.tif 000009
【図９】
0005514712.tif 000010
【図１０】
0005514712.tif 000011
【図１１】
0005514712.tif 000012